(57)【特許請求の範囲】
【請求項１】
略断面円形となる部材に対して等角度間隔で形成された４つのポートを有すると共に、隣接する第１ポートと第２ポートとが連通した第１流路を形成し、隣接する第３ポートと第４ポートとが連通した第２流路を形成し、前記第１及び第２流路のそれぞれにデシカントエレメントを有したバルブと、
前記バルブを断面中心位置を回転中心として回転させる制御手段と、
を備えることを特徴とする空調装置。
【請求項２】
互いに空間を有して配置される２枚の板材を有し、前記２枚の板材のうち室内側板材を冷却すると共に室外側板材を加熱し、又は、前記室外側板材を加熱する空調板材と、
前記空調板材の前記室内側板材に隣接配置されて室内流路を形成する室内流路形成板材と、
前記空調板材の前記室外側板材に隣接配置されて室外流路を形成する室外流路形成板材と、を備え、
前記バルブは、前記空調板材の一端側となる上部側に設けられる上部側バルブである
ことを特徴とする請求項１に記載の空調装置。
【請求項３】
前記制御手段は、前記上部側バルブを第１所定時間間隔で回転させて、前記上部側バルブについて、前記第１流路が室内側と前記室内流路とを接続し、前記第２流路が前記室外流路と室外側とを接続した第１状態と、前記第１流路が前記室外流路と室外側とを接続し、前記第２流路が室内側と前記室内流路とを接続した第２状態とを前記第１所定時間毎に切り替える
ことを特徴とする請求項２に記載の空調装置。
【請求項４】
前記バルブは、複数設けられ、前記上部側バルブに加えて、前記空調板材の他端側となる下部側に設けられる下部側バルブを有する
ことを特徴とする請求項２に記載の空調装置。
【請求項５】
前記制御手段は、第１運転モードを実行可能であり、前記第１運転モードにおいて、
前記上部側バルブを第１所定時間間隔で回転させて、前記上部側バルブについて、前記第１流路が室内側と前記室内流路とを接続し、前記第２流路が前記室外流路と室外側とを接続した第１状態と、前記第１流路が前記室外流路と室外側とを接続し、前記第２流路が室内側と前記室内流路とを接続した第２状態とを前記第１所定時間毎に切り替えると共に、
前記下部側バルブを第２所定時間間隔で回転させて、前記下部側バルブについて前記第１状態と前記第２状態とを前記第２所定時間毎に切り替える
ことを特徴とする請求項４に記載の空調装置。
【請求項６】
前記上部側バルブを介することなく室外側と前記室外流路とを連通させる流路を開放する開放状態と、当該流路を閉塞する閉塞状態とで切替可能な上部側室外弁と、
前記下部側バルブを介することなく室外側と前記室外流路とを連通させる流路を開放する開放状態と、当該流路を閉塞する閉塞状態とで切替可能な下部側室外弁と、を備え、
前記制御手段は、前記第１運転モードを実行する場合、前記上部側室外弁及び前記下部側室外弁の双方を開放状態とする節減モードを実行可能である
ことを特徴とする請求項５に記載の空調装置。
【請求項７】
前記制御手段は、第２運転モードを実行可能であり、前記第２運転モードにおいて、
前記上部側バルブを第３所定時間間隔で回転させて、前記上部側バルブについて、前記第１流路が室内側と前記室内流路とを接続し、前記第２流路が前記室外流路と室外側とを接続した第１状態と、前記第１流路が前記室外流路と室外側とを接続し、前記第２流路が室内側と前記室内流路とを接続した第２状態とを前記第３所定時間毎に切り替えると共に、
前記下部側バルブを第４所定時間間隔で回転させて、前記下部側バルブについて前記第１流路が室内側と室外側とを接続し、前記第２流路が前記室外流路と前記室内流路とを接続した第３状態と、前記第１流路が前記室外流路と前記室内流路とを接続し、前記第２流路が室内側と室外側とを接続した第４状態とを、前記第４所定時間毎に切り替える
ことを特徴とする請求項４から請求項６のいずれか１項に記載の空調装置。
【請求項８】
前記制御手段は、第３運転モードを実行可能であり、前記第３運転モードにおいて、
前記上部側バルブを第５所定時間間隔で回転させて、前記上部側バルブについて、前記第１流路が室内側と室外側とを接続し、前記第２流路が前記室外流路と前記室内流路とを接続した第３状態と、前記第１流路が前記室外流路と前記室内流路とを接続し、前記第２流路が室内側と室外側とを接続した第４状態とを前記第５所定時間毎に切り替えると共に、
前記下部側バルブについて前記第１流路が室内側と前記室内流路とを接続し、前記第２流路が前記室外流路と室外側とを接続した第１状態と、前記第１流路が前記室外流路と室外側とを接続し、前記第２流路が室内側と前記室内流路とを接続した第２状態との一方で維持する
ことを特徴とする請求項５から請求項７のいずれか１項に記載の空調装置。
【請求項９】
前記制御手段は、第４運転モードを実行可能であり、前記第４運転モードにおいて、
前記上部側バルブについて、前記第１流路が室内側と前記室内流路とを接続し、前記第２流路が前記室外流路と室外側とを接続した第１状態と、前記第１流路が前記室外流路と室外側とを接続し、前記第２流路が室内側と前記室内流路とを接続した第２状態との一方で維持し、
前記下部側バルブを第６所定時間間隔で回転させて、前記下部側バルブについて前記第１流路が室内側と室外側とを接続し、前記第２流路が前記室外流路と前記室内流路とを接続した第３状態と、前記第１流路が前記室外流路と前記室内流路とを接続し、前記第２流路が室内側と室外側とを接続した第４状態とを前記第６所定時間毎に切り替える
ことを特徴とする請求項５から請求項８のいずれか１項に記載の空調装置。
【請求項１０】
前記上部側バルブのいずれか１つのポートに室内空気を送り込む上部側ファンと、
前記下部側バルブのいずれか１つのポートに外気を送り込む下部側ファンと、
前記室内流路からの空気を前記上部側バルブを介さず前記上部側ファンに送り込むため流路を開放する開放状態と、当該流路を閉塞する閉塞状態とで切替可能な上部側室内弁と、を備え、
前記下部側バルブの室内側は特定温度範囲に融点及び凝固点を有する潜熱蓄熱材が設けられた床下空間に接続され、
前記制御手段は、第５運転モードを実行可能であり、前記第５運転モードにおいて、
前記床下空間に外気を導入する場合、前記下部側ファンを駆動させると共に前記下部側ファンと前記床下空間とを前記下部側バルブの前記第１流路又は前記第２流路で接続し、
前記床下空間から排気する場合、前記上部側ファンを駆動させ且つ前記上部側室内弁を前記開放状態とすると共に、前記室内流路と前記床下空間とを前記下部側バルブの前記第１流路又は前記第２流路で接続し、前記上部側ファンと前記室外側とを前記上部側バルブの前記第１流路又は前記第２流路で接続する
ことを特徴とする請求項５から請求項９のいずれか１項に記載の空調装置。
【請求項１１】
前記上部側バルブのいずれか１つのポートに室内空気を送り込む上部側ファンと、
前記下部側バルブのいずれか１つのポートに外気を送り込む下部側ファンと、を備え、
前記下部側バルブの室内側は特定温度範囲に融点及び凝固点を有する潜熱蓄熱材が設けられた床下空間に接続され、
前記上部側バルブの室内側は前記床下空間と連通する前記床下空間上の床上空間に接続され、
前記制御手段は、第６運転モードを実行可能であり、前記第６運転モードにおいて、
前記下部側ファンを駆動させると共に、前記下部側ファンと前記床下空間とを前記下部側バルブの前記第１流路又は前記第２流路で接続し、
前記上部側ファンを駆動させると共に、前記上部側ファンと前記室外側とを前記上部側バルブの前記第１流路又は前記第２流路で接続する
ことを特徴とする請求項５から請求項１０のいずれか１項に記載の空調装置。
【請求項１２】
前記上部側バルブのいずれか１つのポートに室内空気を送り込む上部側ファンと、
前記下部側バルブのいずれか１つのポートに外気を送り込む下部側ファンと、を備え、
前記下部側バルブは、前記第１流路と前記第２流路との間に直線状に形成された第３流路を有し、
前記制御手段は、第７運転モードを実行可能であり、前記第７運転モードにおいて、
室内に外気を導入する場合、前記下部側ファンを駆動させ且つ前記下部側ファンと前記室内流路とを前記下部側バルブの前記第３流路で接続すると共に、前記上部側ファンと前記室内流路とを前記上部側バルブの前記第１流路又は前記第２流路で接続し、
室内から排気する場合、前記上部側ファンを駆動させると共に、前記上部側ファンと前記室外側とを前記上部側バルブの前記第１流路又は前記第２流路で接続する
ことを特徴とする請求項５から請求項１１のいずれか１項に記載の空調装置。
【請求項１３】
前記室内流路からの空気を前記上部側バルブを介さず室内側に送り込むため流路を開放する開放状態と、当該流路を閉塞する閉塞状態とで切替可能な上部側室内弁と、を備え、
前記制御手段は、前記第７運転モードにおいて、室内に外気を導入する場合、前記上部側室内弁を開放状態とする
ことを特徴とする請求項５から請求項１１のいずれか１項に記載の空調装置。
【請求項１４】
前記上部側バルブのいずれか１つのポートに室内空気を送り込む上部側ファンを備え、
前記下部側バルブの室内側は特定温度範囲に融点及び凝固点を有する潜熱蓄熱材が設けられた床下空間に接続され、
前記上部側バルブの室内側は前記床下空間と連通する前記床下空間上の床上空間に接続され、
前記制御手段は、第８運転モードを実行可能であり、前記第８運転モードにおいて、前記上部側ファンを駆動させると共に、前記上部側ファンと前記室内流路とを前記上部側バルブの前記第１流路又は前記第２流路で接続し、前記室内流路と前記床下空間とを前記下部側バルブの前記第１流路又は前記第２流路で接続する
ことを特徴とする請求項５から請求項１１のいずれか１項に記載の空調装置。
【請求項１５】
互いに空間を有して配置される２枚の板材を有し、前記２枚の板材のうち室内側板材を加熱する空調板材と、
前記空調板材の前記室内側板材に隣接配置されて加熱流路を形成する加熱流路形成板材と、
少なくとも上下方向に延びた第１空気流路と、
一端が前記第１空気流路に接続されると共に、室外側が前記第１空気流路に隣接すると共に室内側が室内に隣接する少なくとも上下方向に延びた第２空気流路と、
前記第２空気流路の他端を室外側と室内側とのいずれか一方に接続するように切り替える切替弁と、
前記第２空気流路の室外側と室内側との双方の内面に液体を滴下する滴下手段と、を備え、
前記バルブは、前記第１流路が前記加熱流路と室外側とを接続し、前記第２流路が室外側と前記第１空気流路とを接続した第５状態と、前記第１流路が室外側と前記第１空気流路とを接続し、前記第２流路が前記加熱流路と室外側とを接続した第６状態と、前記第１流路又は前記第２流路が前記加熱流路と前記第１空気流路とを接続した第７状態とで回転可能であり、
前記制御手段は、前記切替弁を制御して第２空気流路と室外側とを接続し、前記バルブを所定時間間隔で回転させて、前記バルブを前記所定時間毎に前記第５状態と前記第６状態とで切り替えるモードと、前記切替弁を制御して第２空気流路と室内側とを接続し、前記バルブを前記第７状態で維持するモードとで制御する
ことを特徴とする請求項１に記載の空調装置。
【請求項１６】
略断面円形となる部材に対して等角度間隔で形成された４つのポートを有すると共に、隣接する第１ポートと第２ポートとが連通した第１流路を形成し、隣接する第３ポートと第４ポートとが連通した第２流路を形成し、前記第１及び第２流路のそれぞれにデシカントエレメントを有した
ことを特徴とするバルブ。
【請求項１７】
前記第１流路と前記第２流路との間に直線状に形成された第３流路を有する
ことを特徴とする請求項１６に記載のバルブ。
【発明の詳細な説明】
【技術分野】
【０００１】
本発明は、空調装置及びバルブに関する。
【背景技術】
【０００２】
断面円形となる部材に対して等角度間隔で形成された４つのポートを有すると共に、隣接する第１ポートと第２ポートとが連通した第１流路を形成し、隣接する第３ポートと第４ポートとが連通した第２流路を形成した４ポート弁が提案されている（例えば特許文献１〜３参照）。この４ポート弁によれば、回転角度を調整することで、各ポートの接続先を変更して流路を変更することができる。
【先行技術文献】
【特許文献】
【０００３】
【特許文献１】特開２０１７−１２５５５６号公報
【特許文献２】特開２０１６−１９１４０３号公報
【特許文献３】特開２００１−５０５５９号公報
【発明の概要】
【発明が解決しようとする課題】
【０００４】
しかし、特許文献１〜３に記載の４ポート弁は、流路の切り替えを行うのみであり、空調装置に適用したとしても、装置の小型化に寄与できる程度は決して高くないものであった。
【０００５】
本発明は、このような問題を解決するためになされたものであり、その目的とするところは、より小型化を図ることができる空調装置及びバルブを提供することにある。
【課題を解決するための手段】
【０００６】
本発明は、隣接する第１ポートと第２ポートとが連通した第１流路を形成し、隣接する第３ポートと第４ポートとが連通した第２流路を形成し、第１及び第２流路のそれぞれにデシカントエレメントを有したバルブを備え、これを回転制御する。
【発明の効果】
【０００７】
本発明によれば、第１及び第２流路のそれぞれにデシカントエレメントを有したバルブを備えるため、これを回転制御することで、流路を切り替える機能のみならず、デシカントエレメントが乾燥状態にあるときに通過する気体を除湿したり、デシカントエレメントが湿潤状態にあるときに通過する気体を加湿したりできる。これにより、例えば別途デシカント部材を設ける必要がなくなったり、仮にデシカント部材を設けたとしてもデシカント部材を小さくしたりできることから、より小型化を図ることができる。
【図面の簡単な説明】
【０００８】
【図１】本発明の第１実施形態に係る空調装置を示す概略構成図である。
【図２】図１に示した太陽熱受領部を示す概略構成図である。
【図３】図１に示した中央ユニットを示す概略構成図である。
【図４】図１に示した上部側ユニットの概略構成図である。
【図５】図１に示した下部側ユニットの概略構成図である。
【図６】図４に示した上部側バルブの回転状態を示す構成図であって、（ａ）は第１状態を示し、（ｂ）は第３状態を示している。
【図７】図５に示した下部側バルブの回転状態を示し、（ａ）は第１状態を示し、（ｂ）は第３状態を示し、（ｃ）は他の状態を示している。
【図８】床下空間の一例を示す概略構成図である。
【図９】第１運転モードにおける空調装置の動作状態図である。
【図１０】第２運転モード（第４運転モード）における空調装置の動作状態図である。
【図１１】第３運転モードにおける空調装置の動作状態図である。
【図１２】第５運転モードにおける空調装置の動作状態図である。
【図１３】第６運転モードにおける空調装置の動作状態図である。
【図１４】第７運転モードにおける空調装置の動作状態図である。
【図１５】第８運転モードにおける空調装置の動作状態図である。
【図１６】第２実施形態に係る空調装置を示す概略構成図である。
【図１７】図１６に示した中央室外側ユニットの概略構成図である。
【図１８】図１７に示した複数の第１プリズムを示す拡大図である。
【図１９】図１６に示した中央室内側ユニットを示す概略構成図である。
【図２０】図１６に示した上部側ユニットを示す概略構成図である。
【図２１】図１６に示した下部側ユニットを示す概略構成図である。
【図２２】暖房運転モードにおける空調装置の動作状態図である。
【図２３】空調構造体の変形例を示す概略構成図である。
【図２４】空調構造体の第２変形例を示す概略構成図である。
【図２５】図２４に示したスロープの詳細を示す斜視図である。
【発明を実施するための形態】
【０００９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１０】
図１は、本発明の第１実施形態に係る空調装置を示す概略構成図である。図１に示す空調装置１は、概略的に太陽熱受領部１０と、中央ユニット２０と、上部側ユニット３０と、下部側ユニット４０と、制御装置（制御手段）ＣＤとを備えている。
【００１１】
図２は、図１に示した太陽熱受領部１０を示す概略構成図である。図２に示す太陽熱受領部１０は、太陽熱を受領する集エネルギーパネルであって、表面パネル１１と、複数の真空管集熱器１２と、反射部材１３とを備えている。
【００１２】
表面パネル１１は、太陽光Ｒａｙを透過する平板形状に形成された透明性のガラス材や樹脂材である。
【００１３】
複数の真空管集熱器１２は、真空を形成するための外管と、外管内に挿通された内管とを備えたものである。内管は、表面に選択吸収処理が施されており、表面パネル１１を透過した太陽光Ｒａｙを受光して管内部の熱媒等を加熱するものである。このような真空管集熱器１２は、上下方向に所定の間隔を有して配置されている。
【００１４】
反射部材１３は、真空管集熱器１２の間を通過した太陽光Ｒａｙを反射する部材であり、表面パネル１１側の面に赤外線反射フィルムが設けられて構成されている。さらに、当該面は、断面視して鋸歯状とされている。鋸歯は、真空管集熱器１２の間を通過した太陽光Ｒａｙが上下いずれか一方の真空管集熱器１２に反射されるように角度設定されたものとなっている。このような角度設定により、真空管集熱器１２は効率良く熱媒を加熱することが可能となる。
【００１５】
本実施形態では太陽熱受領部１０を窓面に対して用いるため、反射部材１３は、例えば可視光を所定量（具体的には２０％以上４０％未満（特に３０％））透過し、残りを反射するものが好ましい。可視光を２０％以上透過すれば、窓面として用いる際に外部の景色等の視認性がある程度確保できるためである。また、赤外線については９０％以上反射することが好ましい。このような反射部材１３を用いることにより、太陽光のうち５２％程度のエネルギーを占める可視光の７０％程度と、４２％程度のエネルギーを占める赤外線の９０％以上を反射することとなり、合計して７４％以上のエネルギーを真空管集熱器１２に到達させつつも、外部の景色の視認性の大きな低下を防止できるからである。
【００１６】
図３は、図１に示した中央ユニット２０を示す概略構成図である。図３に示すように、中央ユニット２０は、２枚の板材２１，２２、周端部材２３、複数の介在部材２４、冷媒分配器２５、及び吸収液分配器２６を有した空調構造体（空調板材）ＡＣＳと、室内流路形成板材２７とを備えている。
【００１７】
２枚の板材２１，２２は、互いに空間を有して略平行配置される水蒸気を不透過とする平板状の透明性板材である。これらの板材２１，２２は熱伝導性に優れるものが好ましい。周端部材２３は、２枚の板材２１，２２の周端部に設けられている。
【００１８】
複数の介在部材２４は、２枚の板材２１，２２と周端部材２３とによって形成される内部空間に設けられるものであって、第１介在部材２４ａと、第２介在部材２４ｂと、複数の第３介在部材２４ｃとを備えている。
【００１９】
第１介在部材２４ａは、２枚の板材２１，２２の間の上部側に設けられるものである。本実施形態において、上側の周端部材２３と第１介在部材２４ａとで挟まれる空間は、太陽熱受領部１０により受領された熱（加熱された熱媒）を利用して吸収液（例えば臭化リチウム水溶液）と冷媒（例えば水）とが混合された希溶液を加熱する再生器Ｒとして機能するようになっている。再生器Ｒは、上記の加熱により、当該希溶液から冷媒を蒸発させて希溶液を冷媒蒸気と濃溶液とに分離する。
【００２０】
第２介在部材２４ｂは、２枚の板材２１，２２の間のうち、第１介在部材２４ａの下部に設けられるものである。本実施形態において、第１介在部材２４ａと第２介在部材２４ｂとで挟まれる空間は、再生器Ｒにより生成された蒸気冷媒を液化する凝縮器Ｃとして機能する。凝縮熱は、第２板材（室外側板材）２２側を通じて室外側に排出することが好ましい。
【００２１】
複数の第３介在部材２４ｃは、２枚の板材２１，２２の間のうち、第２介在部材２４ｂの下部側に略等間隔で設けられるものである。本実施形態において、第２介在部材２４ｂと下側の周端部材２３とで挟まれる空間（凝縮器Ｃの下部空間）は、減圧状態とされる。すなわち、複数の第３介在部材２４ｃは、減圧状態に耐え得るように内側から２枚の板材２１，２２を支える部材として機能する。
【００２２】
また、凝縮器Ｃの下部空間は、蒸発器Ｅと吸収器Ａとして機能するようになっている。詳細に説明すると、この下部空間の第１板材（室内側板材）２１側には、凝縮器Ｃで得られた液体冷媒を第１板材２１の内壁に滴下する冷媒分配器２５が設けられている。この冷媒分配器２５により冷媒が滴下されることで、冷媒は第１板材２１側で蒸発して蒸気冷媒とされる。これにより、下部空間のうち第１板材２１側は、第１板材２１を冷却する蒸発器Ｅとして機能する。
【００２３】
また、この下部空間の第２板材２２側には、再生器Ｒにて得られた濃溶液を第２板材２２の内壁に滴下する吸収液分配器２６が設けられている。この吸収液分配器２６により濃溶液が滴下されることで、濃溶液は、蒸発器Ｅからの蒸気冷媒を吸収する。これにより、下部空間のうち第２板材２２側は、吸収熱により第２板材２２を加熱する吸収器Ａとして機能する。
【００２４】
このように、２枚の板材２１，２２と、周端部材２３と、複数の介在部材２４と、冷媒分配器２５と、吸収液分配器２６とを備えた空調構造体ＡＣＳは、２枚の板材２１，２２のうち室内側となる第１板材２１を冷却すると共に室外側となる第２板材２２を加熱するものとして機能する。
【００２５】
なお、中央ユニット２０は不図示のポンプを有し、ポンプ動力により、蒸気冷媒を吸収した希溶液を再生器Ｒまで送り出すようになっている。
【００２６】
室内流路形成板材２７は、室内側に配置される平板状の透明性板材であって、空調構造体ＡＣＳの第１板材２１に略平行となるように所定の隙間を有して隣接配置されるものである。この室内流路形成板材２７は、第１板材２１に対して所定の隙間を有して隣接配置されることで、第１板材２１と室内流路形成板材２７との間の隙間を室内流路ＩＰとして機能させる。特に、空調構造体ＡＣＳが駆動している場合には第１板材２１が冷却されることから、室内流路ＩＰは、冷却された空気が流れる流路となる。
【００２７】
さらに、太陽熱受領部１０の反射部材（室外流路形成板材）１３は、空調構造体ＡＣＳの第２板材２２に略平行となるように所定の隙間を有して隣接配置されている。反射部材１３は、空調構造体ＡＣＳの第２板材２２に対して所定の隙間を有して隣接配置されることで、第２板材２２と反射部材１３との間の隙間を室外流路ＯＰとして機能させる。特に、空調構造体ＡＣＳが駆動している場合には第２板材２２が加熱されることから、室外流路ＯＰは、加熱された空気が流れる流路となる。
【００２８】
図４は、図１に示した上部側ユニット３０の概略構成図である。図４に示す上部側ユニット３０は、太陽熱受領部１０及び中央ユニット２０の上部に配置されるものである。この上部側ユニット３０は、ケーシング３１と、室内ルーバー３２と、室外ルーバー３３と、上部側バルブ（バルブ）３４と、弁座３５と、上部側室外弁３６と、上部側室内弁３７と、上部側ファンＦ１とを備えている。
【００２９】
ケーシング３１は、上部側ユニット３０の各部を収納する筐体である。このケーシング３１の室内側は開放されており、この開放部に開閉自在な室内ルーバー３２が設けられている。同様にケーシング３１の室外側も開放されており、この開放部に開閉自在な室外ルーバー３３が設けられている。さらに、ケーシング３１は、室内流路ＩＰに対応する箇所に開口部３１ａが設けられていると共に、室外流路ＯＰに対応する箇所にも開口部３１ｂが設けられている。
【００３０】
上部側バルブ３４は、略断面円形（真円に限らず例えば正八角形等も含む）となる略円筒部材で形成され、円中心（断面中心位置）を回転中心とした回転が可能なバルブである。この上部側バルブ３４は、周方向に等角度間隔で形成された４つのポートＰ１〜Ｐ４を有し、隣接する第１ポートＰ１と第２ポートＰ２とが連通した第１流路３４ａを有すると共に、隣接する第３ポートＰ３と第４ポートＰ４とが連通した第２流路３４ｂを有する。加えて、上部側バルブ３４は、第１流路３４ａと第２流路３４ｂとの間に直線状に形成された第３流路３４ｃを有する。
【００３１】
さらに、本実施形態に係る上部側バルブ３４は、第１及び第２流路３４ａ，３４ｂのそれぞれにデシカントエレメントＤを有している。デシカントエレメントＤは、例えば段ボール状のペーパーハニカムに吸着剤が塗布されたものであってもよいし、多孔質セラミックであってもよい。なお、第３流路３４ｃには、デシカントエレメントＤが設けられていない。
【００３２】
弁座３５は、上部側バルブ３４を回転自在に保持するものであって、略断面円形状の上部側バルブ３４の外形に応じて形成された円形部３５ａと、第１〜第４開放部Ｏ１〜Ｏ４とを有している。第１開放部Ｏ１は室内ルーバー３２側につながっており、第２開放部Ｏ２は室内流路ＩＰに対応する開口部３１ａにつながっており、第３開放部Ｏ３は室外流路ＯＰに対応する開口部３１ｂにつながっており、第４開放部Ｏ４は室外ルーバー３３側につながっている。
【００３３】
なお、以下の説明において、ケーシング３１内のうち弁座３５よりも室内側の空間を上部室内側空間ＵＣＩといい、ケーシング３１内のうち弁座３５よりも室外側の空間を上部室外側空間ＵＣＯという。
【００３４】
上部側ファンＦ１は、上部室内側空間ＵＣＩに設けられ、室内ルーバー３２を介して室内空気を弁座３５の第１開放部Ｏ１に対して送り込むものである。上部側ファンＦ１は、第１開放部Ｏ１に室内空気を送り込むことで、上部側バルブ３４のいずれか１つのポートＰ１〜Ｐ４に室内空気を送り込むことができる。
【００３５】
上部側室外弁３６は、上部室外側空間ＵＣＯに設けられ、上部側バルブ３４を介することなく上部室外側空間ＵＣＯ（室外側）と室外流路ＯＰ（開口部３１ｂ）とを連通させる流路を開放する開放状態（破線参照）と、当該流路を閉塞する閉塞状態（実線参照）とで切替可能なものである。このような上部側室外弁３６が開放状態となることにより、例えば室外流路ＯＰからの空気を上部側バルブ３４を介することなく室外に排出することができる。
【００３６】
上部側室内弁３７は、上部室内側空間ＵＣＩに設けられ、上部側バルブ３４を介することなく上部室内側空間ＵＣＩ（室内側）と室内流路ＩＰ（開口部３１ａ）とを連通させる流路を開放する開放状態（破線参照）と、当該流路を閉塞する閉塞状態（実線参照）とで切替可能なものである。このような上部側室内弁３７が開放状態となることにより、例えば室内流路ＩＰからの空気を上部側バルブ３４を介することなく上部側ファンＦ１に供給することができる。
【００３７】
図５は、図１に示した下部側ユニット４０の概略構成図である。図５に示す下部側ユニット４０は、太陽熱受領部１０及び中央ユニット２０の下部に配置されるものである。この下部側ユニット４０は、上部側ユニット３０と同様に、ケーシング４１と、室内ルーバー４２と、室外ルーバー４３と、下部側バルブ（バルブ）４４と、弁座４５と、下部側室外弁４６と、下部側ファンＦ２とを備えている。
【００３８】
ケーシング４１は、下部側ユニット４０の各部を収納する筐体である。このケーシング４１の室内側は開放されており、この開放部に開閉自在な室内ルーバー４２が設けらている。同様にケーシング４１の室外側も開放されており、この開放部に開閉自在な室外ルーバー４３が設けられている。さらに、ケーシング４１は、室内流路ＩＰに対応する箇所に開口部４１ａが設けられていると共に、室外流路ＯＰに対応する箇所にも開口部４１ｂが設けられている。
【００３９】
下部側バルブ４４は、略断面円形（真円に限らず例えば正八角形等も含む）となる略円筒部材で形成され、円中心を回転中心とした回転が可能なバルブである。この下部側バルブ４４は、周方向に等角度間隔で形成された４つのポートＰ１〜Ｐ４を有し、隣接する第１ポートＰ１と第２ポートＰ２とが連通した第１流路４４ａを有すると共に、隣接する第３ポートＰ３と第４ポートＰ４とが連通した第２流路４４ｂを有する。加えて、下部側バルブ４４は、第１流路４４ａと第２流路４４ｂとの間に直線状に形成された第３流路４４ｃを有する。
【００４０】
さらに、本実施形態に係る下部側バルブ４４は、第１及び第２流路４４ｂ，４４ｂのそれぞれにデシカントエレメントＤを有している。デシカントエレメントＤは、例えば段ボール状のペーパーハニカムに吸着剤が塗布されたものであってもよいし、多孔質セラミックであってもよい。なお、第３流路４４ｃには、デシカントエレメントＤが設けられていない。
【００４１】
弁座４５は、下部側バルブ４４を回転自在に保持するものであって、略断面円形状の下部側バルブ４４の外形に応じて形成された円形部４５ａと、第１〜第４開放部Ｏ１〜Ｏ４とを有している。第１開放部Ｏ１は室内流路ＩＰに対応する開口部４１ａにつながっており、第２開放部Ｏ２は室内ルーバー４２側につながっており、第３開放部Ｏ３は室外ルーバー４３側につながっており、第４開放部Ｏ４は室外流路ＯＰに対応する開口部４１ｂにつながっている。
【００４２】
なお、以下の説明において、ケーシング４１内のうち弁座４５よりも室外側の空間を下部室外側空間ＬＣＯという。
【００４３】
下部側ファンＦ２は、下部室外側空間ＬＣＯに設けられ、室外ルーバー４３を介して外気を弁座４５の第３開放部Ｏ３に対して送り込むものである。下部側ファンＦ２は、第３開放部Ｏ３に外気を送り込むことで、下部側バルブ４４のいずれか１つのポートＰ１〜Ｐ４に外気を送り込むことができる。
【００４４】
下部側室外弁４６は、下部室外側空間ＬＣＯに設けられ、下部側バルブ４４を介することなく下部室外側空間ＬＣＯ（室外側）と室外流路ＯＰ（開口部４１ｂ）とを連通させる流路を開放する開放状態（図５の破線参照）と、当該流路を閉塞する閉塞状態（図５の実線参照）とで切替可能なものである。このような下部側室外弁４６が開放状態となることにより、例えば外気を下部側バルブ４４を介することなく室外流路ＯＰに導入させることができる。
【００４５】
次に、上部側バルブ３４と下部側バルブ４４との回転状態を説明する。図６は、図４に示した上部側バルブ３４の回転状態を示す構成図であって、（ａ）は第１状態を示し、（ｂ）は第３状態を示している。また、図７は、図５に示した下部側バルブ４４の回転状態を示し、（ａ）は第１状態を示し、（ｂ）は第３状態を示し、（ｃ）は他の状態を示している。
【００４６】
図６（ａ）に示すように、上部側バルブ３４は、回転制御されて第１状態を取り得る。上部側バルブ３４の第１状態とは、第１流路３４ａが上部室内側空間ＵＣＩ（室内側）と室内流路ＩＰとを接続し、第２流路３４ｂが室外流路ＯＰと上部室外側空間ＵＣＯ（室外側）とを接続した状態である。
【００４７】
図７（ａ）に示すように、下部側バルブ４４も同様に回転制御されて第１状態を取り得る。下部側バルブ４４の第１状態とは、第１流路４４ａが室内側と室内流路ＩＰとを接続し、第２流路４４ｂが室外流路ＯＰと下部室外側空間ＬＣＯ（室外側）とを接続した状態である。
【００４８】
なお、図示を省略するが、第１状態から上部側バルブ３４及び下部側バルブ４４が１８０°回転した状態が第２状態である。すなわち、上部側バルブ３４の第２状態とは、第１流路３４ａが室外流路ＯＰと上部室外側空間ＵＣＯ（室外側）とを接続し、第２流路３４ｂが上部室内側空間ＵＣＩ（室内側）と室内流路ＩＰとを接続した状態である。また、下部側バルブ４４の第２状態とは、第１流路４４ａが室外流路ＯＰと下部室外側空間ＬＣＯ（室外側）とを接続し、第２流路４４ｂが室内側と室内流路ＩＰとを接続した状態である。
【００４９】
さらに、図６（ｂ）に示すように、上部側バルブ３４は、回転制御されて第３状態を取り得る。上部側バルブ３４の第３状態とは、第１流路３４ａが上部室内側空間ＵＣＩ（室内側）と上部室外側空間ＵＣＯ（室外側）とを接続し、第２流路３４ｂが室外流路ＯＰと室内流路ＩＰとを接続した状態である。
【００５０】
同様に、図７（ｂ）に示すように、下部側バルブ４４は、回転制御されて第３状態を取り得る。下部側バルブ４４の第３状態とは、第１流路４４ａが室内側と下部室外側空間ＬＣＯ（室外側）とを接続し、第２流路４４ｂが室外流路ＯＰと室内流路ＩＰとを接続した状態である。
【００５１】
なお、図示を省略するが、第３状態から上部側バルブ３４及び下部側バルブ４４が１８０°回転した状態が第４状態である。すなわち、上部側バルブ３４の第４状態とは、第１流路３４ａが室外流路ＯＰと室内流路ＩＰとを接続し、第２流路３４ｂが上部室内側空間ＵＣＩ（室内側）と上部室外側空間ＵＣＯ（室外側）とを接続した状態である。また、下部側バルブ４４の第４状態とは、第１流路４４ａが室外流路ＯＰと室内流路ＩＰとを接続し、第２流路４４ｂが室内側と下部室外側空間ＬＣＯ（室外側）とを接続した状態である。
【００５２】
加えて、図７（ｃ）に示すように、下部側バルブ４４は、回転制御により他の状態を取り得る。下部側バルブ４４の他の状態とは、下部室外側空間ＬＣＯ（下部側ファンＦ２）と室内流路ＩＰとを第３流路４４ｃで接続する状態である。なお、本実施形態においては上部側バルブ３４について他の状態を取り得ることを想定していないが、特にこれに限らず、上部側バルブ３４が他の状態を取るようになっていてもよい。また、他の状態においては室外流路ＯＰとの接続を行うようになっていてもよい。
【００５３】
ここで、図１に示す下部側ユニット４０の室内側は、床上空間のみならず、床下空間にも接続可能となっている。図８は床下空間の一例を示す概略構成図である。図８に示すように、床下空間ＵＦＣは、フロアプレートＦＣを境界として床上空間の下側に隣接する空間である。この床下空間ＵＦＣには、複数のトレイＴと、複数の袋状容器Ｂと、複数のペデスタルＰＤとが配置されている。
【００５４】
複数のトレイＴは、潜熱蓄熱材ＰＣＭが収納された袋状容器Ｂを載置するためのものであって、本実施形態において床スラブＦＳ上に載置されている。このようなトレイＴは、袋状容器Ｂが損傷したときに漏れ出した潜熱蓄熱材ＰＣＭを受け止めると共に、周囲の空気が露点以下に冷やされて結露した場合の結露水についても受け止めるものとなっている。特に潜熱蓄熱材ＰＣＭが床スラブＦＳの材料であるコンクリート等に有害である場合、複数のトレイＴは、これを食い止める役割を果たす。なお、念のため床スラブＦＳは耐塩コンクリートで形成されているか、塗装されていることが好ましい。
【００５５】
複数のペデスタルＰＤは、フロアプレートＦＣを支える柱部材であって、床スラブＦＳ上に配置されている。このようなフロア構造は、例えばフリーアクセスフロア（又はＯＡフロアやフォルスフロアなど）と称呼される。
【００５６】
ここで、フロアプレートＦＣには貫通孔ＴＨが形成されている。このため、床下空間ＵＦＣに送り込まれた空気は、潜熱蓄熱材ＰＣＭに冷却又は加熱される等して、貫通孔ＴＨを介して床上空間に供給される。
【００５７】
再度図１を参照する。図１に示す制御装置ＣＤは、空調装置１の全体を制御するものであって、上記各図に示した、上部側バルブ３４及び下部側バルブ４４の回転制御、上部側ファンＦ１及び下部側ファンＦ２の駆動制御、ルーバー３２，３３，４２，４３の開閉制御、空調構造体ＡＣＳの駆動制御、弁３６，３７，４６の開放及び閉塞制御、並びに、下部側ユニット４０と床上空間及び床下空間ＵＦＣとの接続切替制御等を実行するものである。制御装置ＣＤは、ユーザからの運転モードの指定や、自動制御によって、これらを制御して第１〜第８運転モードを実行可能となっている。
【００５８】
次に、図９〜図１５を参照して、本実施形態に係る空調装置１の各運転モードにおける動作を説明する。
【００５９】
図９は、第１運転モードにおける空調装置１の動作状態図である。第１運転モードにおいて制御装置ＣＤは、太陽熱受領部１０にて受領された熱を利用して再生器Ｒにおける再生を行うと共に、凝縮器Ｃ、蒸発器Ｅ及び吸収器Ａを機能させて、第１板材２１側を冷却すると共に、第２板材２２側を加温する。さらに、制御装置ＣＤは、全てのルーバー３２，３３，４２，４３を開くと共に、上部側及び下部側ファンＦ１，Ｆ２を駆動状態とする。なお、各弁３６，３７，４６は閉塞状態とされる。
【００６０】
この状態で制御装置ＣＤは、上部側バルブ３４を第１所定時間（例えば１８０秒）間隔で回転させて、第１所定時間毎に上部側バルブ３４を第１状態と第２状態とで切り替える。さらに、制御装置ＣＤは、下部側バルブ４４を第２所定時間（例えば１８０秒）間隔で回転させて、第２所定時間毎に下部側バルブ４４を第１状態と第２状態とで切り替える。
【００６１】
これにより、室内空気は、上部側バルブ３４の第１流路３４ａのデシカントエレメントＤで除湿された後に室内流路ＩＰで冷却されて下部側バルブ４４の第１流路４４ａのデシカントエレメントＤで更に除湿されて、再度室内に戻される。一方、外気は下部側バルブ４４の第２流路４４ｂのデシカントエレメントＤを再生した後に室外流路ＯＰで加熱されて上部側バルブ３４の第２流路３４ｂのデシカントエレメントＤを再生して、再度室外に戻される。そして、第１流路３４ａ，４４ａと第２流路３４ｂ，４４ｂとが回転によって入れ替わり、上記が継続的に行われる。従って、第１運転モードでは、継続的に室内空気が冷却乾燥される。
【００６２】
なお、第１運転モードには節減モードが設けられており、空調装置１は節減モードでの運転も可能となっている。節減モードにおいて制御装置ＣＤは、上部側室外弁３６及び下部側室外弁４６を開放状態とする。
【００６３】
これにより、外気の吸気の際に風を利用できる場合には上部側バルブ３４及び下部側バルブ４４を介することなく、外気を直接室外流路ＯＰに導入して排出でき、ややデシカントエレメントＤの再生能力が弱まるものの、室外流路ＯＰに空気を流す際の下部側ファンＦ２の動力を節約することができる。
【００６４】
図１０は、第２運転モード（第４運転モード）における空調装置１の動作状態図である。第２運転モードにおいて制御装置ＣＤは、再生器Ｒ、凝縮器Ｃ、蒸発器Ｅ及び吸収器Ａを機能させて、第１板材２１側を冷却すると共に、第２板材２２側を加温する。さらに、制御装置ＣＤは、全てのルーバー３２，３３，４２，４３を開くと共に、上部側及び下部側ファンＦ１，Ｆ２を駆動状態とし、各弁３６，３７，４６を閉塞状態とする。
【００６５】
この状態で制御装置ＣＤは、上部側バルブ３４を第３所定時間（例えば１８０秒）間隔で回転させて、第３所定時間毎に上部側バルブ３４を第１状態と第２状態とで切り替える。さらに、制御装置ＣＤは、下部側バルブ４４を第４所定時間（例えば６０秒）間隔で回転させて、第４所定時間毎に下部側バルブ４４を第３状態と第４状態とで切り替える。
【００６６】
これにより、例えば室内空気は、上部側バルブ３４の第１流路３４ａのデシカントエレメントＤで除湿された後に室内流路ＩＰで冷却されて下部側バルブ４４の第２流路４４ｂのデシカントエレメントＤを再生し、室外流路ＯＰにて加熱されて上部側バルブ３４の第２流路３４ｂのデシカントエレメントＤを再生して室外に排出される。一方、外気は下部側バルブ４４において全熱交換されて室内に導入される。すなわち、外気は下部側バルブ４４の第１流路４４ａのデシカントエレメントＤで除湿されて室内に導入されると共に、下部側バルブ４４はある程度の熱容量を持ち、第２流路４４ｂに冷却された空気が流れることから、第１流路４４ａを通じて室内に導入される空気を冷却する。そして、第１流路３４ａ，４４ａと第２流路３４ｂ，４４ｂとが回転によって入れ替わり、上記が継続的に行われる。従って、第２運転モードでは、換気を行いつつも外気を継続的に全熱交換（冷却乾燥）して導入する。
【００６７】
図１１は、第３運転モードにおける空調装置１の動作状態図である。第３運転モードにおいて制御装置ＣＤは、再生器Ｒ、凝縮器Ｃ、蒸発器Ｅ及び吸収器Ａを機能させず、全てのルーバー３２，３３，４２，４３を開くと共に、上部側及び下部側ファンＦ１，Ｆ２を駆動状態とし、各弁３６，３７，４６を閉塞状態とする。
【００６８】
この状態で制御装置ＣＤは、上部側バルブ３４を第５所定時間（例えば６０秒）間隔で回転させて、第５所定時間毎に上部側バルブ３４を第３状態と第４状態とで切り替える。さらに、制御装置ＣＤは、下部側バルブ４４を第１状態又は第２状態の一方で維持する。
【００６９】
これにより、例えば外気温が室温よりも高く室内空気が外気よりも湿度が低い場合において、室内空気は上部側バルブ３４の第１流路３４ａのデシカントエレメントＤを再生した後に室外に排出される。一方、外気は上部側バルブ３４において全熱交換されて室内に導入される。すなわち、外気は、下部側バルブ４４から室外流路ＯＰを流れ上部側バルブ３４の第２流路３４ｂのデシカントエレメントＤで除湿された後に室内流路ＩＰを流れて下部側バルブ４４を通じて室内に導入される。さらに、上部側バルブ３４はある程度の熱容量を持ち、第２流路３４ｂに外気温よりも低い室内空気が流れることから、第１流路３４ａを通じて室内に導入される空気が冷却される。そして、上部側バルブ３４の第１流路３４ａと第２流路３４ｂとが回転によって入れ替わり、上記が継続的に行われる。従って、第３運転モードでは、換気を行いつつも外気を継続的に全熱交換（冷却乾燥）して導入する。
【００７０】
図１０を参照する。図１０に示す第４運転モードにおいて制御装置ＣＤは、再生器Ｒ、凝縮器Ｃ、蒸発器Ｅ及び吸収器Ａを機能させず、全てのルーバー３２，３３，４２，４３を開くと共に、上部側及び下部側ファンＦ１，Ｆ２を駆動状態とし、各弁３６，３７，４６を閉塞状態とする。
【００７１】
この状態で制御装置ＣＤは、上部側バルブ３４を第１状態又は第２状態の一方で維持する。さらに、制御装置ＣＤは、下部側バルブ４４を第６所定時間（例えば６０秒）間隔で回転させて、第６所定時間毎に上部側バルブ３４を第３状態と第４状態とで切り替える。
【００７２】
これにより、例えば外気温が室温よりも高く室内空気が外気よりも湿度が低い場合において、室内空気は上部側バルブ３４から室内流路ＩＰを流れ下部側バルブ４４の第２流路４４ｂのデシカントエレメントＤを再生した後に室外流路ＯＰを流れて上部側バルブ３４を通じて室外に排出される。一方、外気は下部側バルブ４４において全熱交換されて室内に導入される。すなわち、外気は、下部側バルブ４４の第１流路４４ａのデシカントエレメントＤで除湿された後に室内に導入される。さらに、下部側バルブ４４はある程度の熱容量を持ち、第２流路４４ｂに外気温よりも低い室内空気が流れることから、第１流路４４ａを通じて室内に導入される空気が冷却される。そして、下部側バルブ４４の第１流路４４ａと第２流路４４ｂとが回転によって入れ替わり、上記が継続的に行われる。従って、換気を行いつつも外気を継続的に全熱交換（冷却乾燥）して導入することができる。
【００７３】
図１２は、第５運転モードにおける空調装置１の動作状態図である。なお、第５運転モードにおいて下部側ユニット４０の室内側は床下空間ＵＦＣである。また、図１２においては制御装置ＣＤの図示を省略する。
【００７４】
第５運転モードにおいて制御装置ＣＤは、再生器Ｒ、凝縮器Ｃ、蒸発器Ｅ及び吸収器Ａを機能させず、ルーバー３３，４２，４３を開く。なお、ルーバー３２については閉じた状態とする。また、制御装置ＣＤは、上部側及び下部側ファンＦ１，Ｆ２を駆動状態とし、弁３６，４６を閉塞状態とする。
【００７５】
この状態で制御装置ＣＤは、床下空間ＵＦＣに外気を導入する場合、下部側ファンＦ２を駆動させると共に下部側ファンＦ２と床下空間ＵＦＣとを下部側バルブ４４の第１流路４４ａ又は第２流路４４ｂで接続する。一方、制御装置ＣＤは、床下空間ＵＦＣから排気する場合、上部側ファンＦ１を駆動させ且つ上部側室内弁３７を開放状態とすると共に、室内流路ＩＰと床下空間ＵＦＣとを下部側バルブ４４の第１流路４４ａ又は第２流路４４ｂで接続し、上部側ファンＦ１と上部室外側空間ＵＣＯ（室外側）とを上部側バルブ３４の第１流路３４ａ又は第２流路３４ｂで接続する。そして、制御装置ＣＤはこれを規定時間（例えば１８０秒）毎に切り替える。
【００７６】
これにより、第５運転モードでは、例えば床下空間ＵＦＣからの排気と床下空間ＵＦＣへの吸気を時間配分で交互に行うことができる。
【００７７】
図１３は、第６運転モードにおける空調装置１の動作状態図である。なお、第６運転モードにおいて下部側ユニット４０の室内側は床下空間ＵＦＣである。第６運転モードにおいて制御装置ＣＤは、再生器Ｒ、凝縮器Ｃ、蒸発器Ｅ及び吸収器Ａを機能させず、全ルーバー３２，３３，４２，４３を開く。また、制御装置ＣＤは、上部側及び下部側ファンＦ１，Ｆ２を駆動状態とし、弁３６，３７，４６を閉塞状態とする。
【００７８】
この状態で制御装置ＣＤは、下部側ファンＦ２を駆動させると共に、下部側ファンＦ２と床下空間ＵＦＣとを下部側バルブ４４の第１流路４４ａ又は第２流路４４ｂで接続し、上部側ファンＦ１を駆動させると共に、上部側ファンＦ１と上部室外側空間ＵＣＯ（室外側）とを上部側バルブ３４の第１流路３４ａ又は第２流路３４ｂで接続する。
【００７９】
これにより、第６運転モードでは、下部側ユニット４０によって外気を床下空間ＵＦＣに導入しつつ、上部側ユニット３０によって室内空気を排出することができる。
【００８０】
図１４は、第７運転モードにおける空調装置１の動作状態図である。なお、第７運転モードにおいて下部側ユニット４０の室内側は床下空間ＵＦＣである。また、図１４においては制御装置ＣＤの図示を省略する。
【００８１】
第７運転モードにおいて制御装置ＣＤは、再生器Ｒ、凝縮器Ｃ、蒸発器Ｅ及び吸収器Ａを機能させず、全ルーバー３２，３３，４２，４３を開く。また、制御装置ＣＤは、上部側及び下部側ファンＦ１，Ｆ２を駆動状態とし、弁３６，３７，４６を閉塞状態とする。
【００８２】
この状態で制御装置ＣＤは、室内に外気を導入する場合、下部側ファンＦ２を駆動させ且つ下部側ファンＦ２と室内流路ＩＰとを下部側バルブ４４の第３流路４４ｃで接続すると共に、上部側ファンＦ１と室内流路ＩＰとを上部側バルブ３４の第１流路３４ａ又は第２流路３４ｂで接続する。一方、制御装置ＣＤは、室内から排気する場合、上部側ファンＦ１を駆動させると共に、上部側ファンＦ１と上部室外側空間ＵＣＯ（室外側）とを上部側バルブ３４の第１流路３４ａ又は第２流路３４ｂで接続する。そして、制御装置ＣＤはこれを規定時間（例えば１８０秒）毎に切り替える。
【００８３】
これにより、第７運転モードでは、例えば室内からの排気と室内への吸気を時間配分で交互に行うことができる。
【００８４】
ここで、第７運転モードでは、室内に外気を導入する場合、上部側室内弁３７を開放状態とすることが好ましい。これにより、外気を導入するにあたり、上部側バルブ３４の第１流路３４ａ又は第２流路３４ｂのみならず、上部側室内弁３７により解放された流路によって外気を導入でき、外気導入抵抗を減らしてスムーズな外気導入に寄与することができるからである。なお、室内から排気する場合、上部側室内弁３７は閉塞状態とされる。
【００８５】
図１５は、第８運転モードにおける空調装置１の動作状態図である。なお、第８運転モードにおいて下部側ユニット４０の室内側は床下空間ＵＦＣである。第８運転モードにおいて制御装置ＣＤは、再生器Ｒ、凝縮器Ｃ、蒸発器Ｅ及び吸収器Ａを機能させず、全ルーバー３２，３３，４２，４３を開く。また、制御装置ＣＤは、上部側及び下部側ファンＦ１，Ｆ２を駆動状態とし、弁３６，３７，４６を閉塞状態とする。
【００８６】
この状態で前記制御装置ＣＤは、上部側ファンＦ１を駆動させると共に、上部側ファンＦ１と室内流路ＩＰとを上部側バルブ３４の第１流路３４ａ又は第２流路３４ｂで接続し、室内流路ＩＰと床下空間ＵＦＣとを下部側バルブ４４の第１流路４４ａ又は第２流路４４ｂで接続する。
【００８７】
これにより、室内空気を床下空間ＵＦＣに送り込み、床下空間ＵＦＣにおいて潜熱蓄熱材ＰＣＭにより冷却又は加熱させて床上空間に戻すことが可能となり、潜熱蓄熱材ＰＣＭを利用した床上空間の快適化を内気循環により行うことができる。
【００８８】
以上が第１〜第８運転モードである。
【００８９】
ここで、上記運転モードのうち、第１運転モードと第２運転モードとの切り替えについては、二酸化炭素濃度を参照することが好ましい。すなわち、夏場においてユーザが空調装置１を利用しており、制御装置ＣＤは、第１運転モードで動作させているとする。不図示のガスセンサにより二酸化炭素濃度が所定値以上になったと検出されると、制御装置ＣＤは、第２運転モードで空調装置１を動作させる。これにより、換気を行いつつも室内に冷房効果をもたらすことができるからである。
【００９０】
このようにして、第１実施形態に係る空調装置１によれば、第１及び第２流路３４ａ，３４ｂ，４４ａ，４４ｂのそれぞれにデシカントエレメントＤを有したバルブ３４，４４を備えるため、これを回転制御することで、流路を切り替える機能のみならず、デシカントエレメントＤが乾燥状態にあるときに通過する気体を除湿したり、デシカントエレメントＤが湿潤状態にあるときに通過する気体を加湿したりできる。これにより、別途デシカント部材を設ける必要がなくなったり、設けるデシカント部材を小さくしたりできることから、より小型化を図ることができる。
【００９１】
また、空調構造体ＡＣＳと、その上部側の上部側バルブ３４と、その下部側の下部側バルブ４４とを備えるため、上部側バルブ３４と下部側バルブ４４とを回転等させることにより、室内流路ＩＰ及び室外流路ＯＰの接続を行うことができ、上部側バルブ３４と下部側バルブ４４との第１及び第２流路３４ａ，３４ｂ，４４ａ，４４ｂに冷却された空気や加熱された空気を流通させることができ、湿度制御だけでなく温度制御も行うことができる空調装置１を提供することができる。
【００９２】
また、第１運転モードにおいて上部側バルブ３４と下部側バルブ４４とを第１状態と第２状態とで切り替えるため、室内空気は、上部側バルブ３４の第１流路３４ａのデシカントエレメントＤで除湿された後に室内流路ＩＰで冷却されて下部側バルブ４４の第１流路４４ａのデシカントエレメントＤで更に除湿されて、再度室内に戻される。一方、外気は下部側バルブ４４の第２流路４４ｂのデシカントエレメントＤを再生した後に室外流路ＯＰで加熱されて上部側バルブ３４の第２流路３４ｂのデシカントエレメントＤを再生して、再度室外に戻される。そして、第１流路３４ａ，４４ａと第２流路３４ｂ，４４ｂとが回転によって入れ替わり、上記が継続的に行われる。従って、継続的に室内空気を冷却乾燥することができる。
【００９３】
また、節減モードにおいて上部側室外弁３６及び下部側室外弁４６の双方を開放状態とするため、外気の吸気の際に風を利用できる場合には上部側バルブ３４及び下部側バルブ４４を介することなく、外気を直接室外流路ＯＰに導入して排出でき、ややデシカントエレメントＤの再生能力が弱まるものの、室外流路ＯＰに空気を流す際の下部側ファンＦ２の動力を節約することができる。
【００９４】
また、第２運転モードにおいて上部側バルブ３４を第１状態と第２状態とで切り替え、下部側バルブ４４を第３状態と第４状態とで切り替えるため、例えば室内空気は、上部側バルブ３４の第１流路３４ａのデシカントエレメントＤで除湿された後に室内流路ＩＰで冷却されて下部側バルブ４４の第２流路４４ｂのデシカントエレメントＤを再生し、室外流路ＯＰにて加熱されて上部側バルブ３４の第２流路３４ｂのデシカントエレメントＤを再生して室外に排出される。一方、外気は下部側バルブ４４において全熱交換されて室内に導入される。すなわち、外気は下部側バルブ４４の第１流路４４ａのデシカントエレメントＤで除湿されて室内に導入されると共に、下部側バルブ４４はある程度の熱容量を持ち、第２流路４４ｂに冷却された空気が流れることから、第１流路４４ａを通じて室内に導入される空気が冷却される。そして、第１流路３４ａ，４４ａと第２流路３４ｂ，４４ｂとが回転によって入れ替わり、上記が継続的に行われる。従って、換気を行いつつも外気を継続的に全熱交換（冷却乾燥）して導入することができる。
【００９５】
また、第３運転モードにおいて下部側バルブ４４を回転させず維持し、上部側バルブ３４を第３状態と第４状態とで切り替えるため、例えば外気温が室温よりも高く室内空気が外気よりも湿度が低い場合において、室内空気は上部側バルブ３４の第１流路３４ａのデシカントエレメントＤを再生した後に室外に排出される。一方、外気は上部側バルブ３４において全熱交換されて室内に導入される。すなわち、外気は、下部側バルブ４４から室外流路ＯＰを流れ上部側バルブ３４の第２流路３４ｂにおいて除湿された後に室内流路ＩＰを流れて下部側バルブ４４を通じて室内に導入される。さらに、上部側バルブ３４はある程度の熱容量を持ち、第２流路３４ｂに外気温よりも低い室内空気が流れることから、第１流路３４ａを通じて室内に導入される空気が冷却される。そして、上部側バルブ３４の第１流路３４ａと第２流路３４ｂとが回転によって入れ替わり、上記が継続的に行われる。従って、換気を行いつつも外気を継続的に全熱交換（冷却乾燥）して導入することができる。
【００９６】
また、第４運転モードにおいて上部側バルブ３４を回転させず維持し、下部側バルブ４４を第３状態と第４状態とで切り替えるため、例えば外気温が室温よりも高く室内空気が外気よりも湿度が低い場合において、室内空気は上部側バルブ３４から室内流路ＩＰを流れ下部側バルブ４４の第２流路４４ｂのデシカントエレメントＤを再生した後に室外流路ＯＰを流れて上部側バルブ３４を通じて室外に排出される。一方、外気は下部側バルブ４４において全熱交換されて室内に導入される。すなわち、外気は、下部側バルブ４４の第１流路４４ａにおいて除湿された後に室内に導入される。さらに、下部側バルブ４４はある程度の熱容量を持ち、第２流路４４ｂに外気温よりも低い室内空気が流れることから、第１流路４４ａを通じて室内に導入される空気が冷却される。そして、下部側バルブ４４の第１流路４４ａと第２流路４４ｂとが回転によって入れ替わり、上記が継続的に行われる。従って、換気を行いつつも外気を継続的に全熱交換（冷却乾燥）して導入することができる。
【００９７】
また、第５運転モードにおいて、床下空間ＵＦＣに外気を導入する場合、下部側ファンＦ２を駆動させると共に下部側ファンＦ２と床下空間ＵＦＣとを下部側バルブ４４の前記第１流路４４ａ又は前記第２流路４４ｂで接続する。一方、床下空間ＵＦＣから排気する場合、上部側ファンＦ１を駆動させ且つ上部側室内弁３７を開放状態とすると共に、室内流路ＩＰと床下空間ＵＦＣとを下部側バルブ４４の第１流路４４ａ又は第２流路４４ｂで接続し、上部側ファンＦ１と上部室外側空間ＵＣＯ（室外側）とを上部側バルブ３４の第１流路３４ａ又は第２流路３４ｂで接続する。これにより、床下空間ＵＦＣからの排気と床下空間ＵＦＣへの吸気を時間配分（例えば１８０秒毎）で交互に行うことができる。
【００９８】
また、第６運転モードにおいて、下部側ファンＦ２を駆動させると共に、下部側ファンＦ２と床下空間ＵＦＣとを下部側バルブ４４の第１流路４４ａ又は第２流路４４ｂで接続し、上部側ファンＦ１を駆動させると共に、上部側ファンＦ１と上部室外側空間ＵＣＯ（室外側）とを上部側バルブ３４の第１流路３４ａ又は第２流路３４ｂで接続する。これにより、下部側ユニット４０によって外気を床下空間ＵＦＣに導入しつつ、上部側ユニット３０によって室内空気を排出することができる。
【００９９】
また、第７運転モードにおいて、室内に外気を導入する場合、下部側ファンＦ２を駆動させ且つ下部側ファンＦ２と室内流路ＩＰとを下部側バルブ４４の第３流路４４ｃで接続すると共に、上部側ファンＦ１と室内流路ＩＰとを上部側バルブ３４の第１流路３４ａ又は第２流路３４ｂで接続する。一方、室内から排気する場合、上部側ファンＦ１を駆動させると共に、上部側ファンＦ１と上部室外側空間ＵＣＯ（室外側）とを上部側バルブ３４の第１流路３４ａ又は第２流路３４ｂで接続する。これにより、室内からの排気と室内への吸気を時間配分（例えば１８０秒毎）で交互に行うことができる。
【０１００】
また、第７運転モードにおいて、室内に外気を導入する場合、上部側室内弁３７を開放状態とする。このため、外気を導入するにあたり、上部側バルブ３４の第１流路３４ａ又は第２流路３４ｂのみならず、上部側室内弁３７により解放された流路によって外気を導入でき、外気導入抵抗を減らしてスムーズな外気導入に寄与することができる。
【０１０１】
また、第８運転モードにおいて、上部側ファンＦ１を駆動させると共に、上部側ファンＦ１と室内流路ＩＰとを上部側バルブ３４の第１流路３４ａ又は第２流路３４ｂで接続し、室内流路ＩＰと床下空間ＵＦＣとを下部側バルブ４４の第１流路４４ａ又は第２流路４４ｂで接続する。これにより、室内空気を床下空間ＵＦＣに送り込み、床下空間ＵＦＣにおいて潜熱蓄熱材ＰＣＭにより冷却又は加熱させて床上空間に戻すことが可能となり、潜熱蓄熱材ＰＣＭを利用した床上空間の快適化を内気循環により行うことができる。
【０１０２】
さらに、第１実施形態に係る上部側バルブ３４及び下部側バルブ４４によれば、空調装置１の小型化に寄与することができるバルブ３４，４４を提供することができる。さらに、第３流路３４ｃ，４４ｃを備える場合には、直線状の流路を利用した多彩な制御の実現に寄与することができる。
【０１０３】
次に、本発明に係る第２実施形態を説明する。第２実施形態に係る空調装置は第１実施形態のものと共通構成を有するが、一部構成が異なっている。以下、第１実施形態との相違点について説明する。
【０１０４】
図１６は、第２実施形態に係る空調装置を示す概略構成図である。図１６に示す空調装置２は、中央室外側ユニット５０と、中央室内側ユニット６０と、上部側ユニット７０と、下部側ユニット８０と、制御装置（制御手段）ＣＤとを備えている。
【０１０５】
図１７は、図１６に示した中央室外側ユニット５０の概略構成図である。図１７に示すように、中央室外側ユニット５０は、２枚の板材５１，５２、周端部材５３、複数の第１プリズム５４、隔離壁５５、複数の第２プリズム５６、及び複数の選択吸収膜５７を有した空調構造体（空調板材）ＡＣＳと、加熱流路形成板材５８とを備えている。
【０１０６】
２枚の板材５１，５２は、互いに空間を有して略平行配置される平板状の板材である。これらの板材５１，５２のうち室外側となる第２板材５２は透明性の板材である。また、室内側となる第１板材（室内側板材）５１は熱伝導性に優れるものが好ましい。周端部材５３は、２枚の板材５１，５２の周端部に設けられている。２枚の板材５１，５２と周端部材５３とで形成される内部空間には、複数の第１プリズム５４、隔離壁５５、複数の第２プリズム５６、及び複数の選択吸収膜５７が収納される。
【０１０７】
図１８は、図１７に示した複数の第１プリズム５４を示す拡大図である。複数の第１プリズム５４は、それぞれが断面視して三角形状となるプリズム（すなわち三角柱形状のプリズム）である。これらの第１プリズム５４は、第１の辺５４ａが室外側の第２板材５２に沿うように第２板材５２に面して配置されている。第１プリズム５４の第２の辺５４ｂと第３の辺５４ｃは、第１の辺５４ａに対して所定の角度を有して延びている。第２の辺５４ｂは、第３の辺５４ｃよりも鉛直下方側に位置する辺である。
【０１０８】
このような第１プリズム５４は中実の透明性部材によって構成されている。なお、第１プリズム５４は、外壁部材と外壁部材の内部に収納される液体、ゲル状体又は固体によって構成されていてもよい。また、外壁部材の一部として第２板材５２が利用されてもよいし、三角管などのように第２板材５２が外壁部材の一部として利用されないものであってもよい。
【０１０９】
ここで、第１プリズム５４は、第１の辺５４ａを介して入射した太陽光Ｒａｙを全反射させて第２の辺５４ｂから出射させるように、その屈折率やそれぞれの内角が設定されている。
【０１１０】
すなわち、第１プリズム５４は、以下の３種の光路ＯＰ１〜ＯＰ３が実現されるように、屈折率や三角の各内角が設定されている。ここで、３種の光路ＯＰ１〜ＯＰ３のうち第１光路ＯＰ１は、第２板材５２を通過して第１の辺５４ａから第１プリズム５４内に進入した太陽光Ｒａｙが、直接第２の辺５４ｂに到達して第２の辺５４ｂから第１プリズム５４外に出るものである。第２光路ＯＰ２は、当該太陽光Ｒａｙが第３の辺５４ｃで全反射して第２の辺５４ｂに到達して第２の辺５４ｂから当該第１プリズム５４外に出るものである。第３光路ＯＰ３は、第３の辺５４ｃ及び第１の辺５４ａの順に全反射した後に第２の辺５４ｂに到達して第２の辺５４ｂから第１プリズム５４外に出るものである。
【０１１１】
さらに、第１プリズム５４は、太陽光Ｒａｙが地面等で反射したときの散乱光ＳＬについては第１プリズム５４の内角の角度設定により通過させることができる。
【０１１２】
再度図１７を参照する。隔離壁５５は、断面視してジグザグ状となっており、隔離壁５５と第１板材５１とによって複数の内部空間ＩＳが形成されている。複数の内部空間ＩＳはそれぞれが断面視して三角形となっている。これら内部空間ＩＳには第２プリズム５６となる内部部材（例えば液体、ゲル状体又は固体）が設けられている。
【０１１３】
なお、第１プリズム５４と第２プリズム５６とは、同屈折率及び同形状となっており、図１７に示す側面視状態で点対称となる向きに配置されている。これにより、第１プリズム５４によって散乱光ＳＬが屈折して室内側から視認したときに生じる景色の歪みを抑えることができる。すなわち、第２プリズム５６は像回復プリズムとして機能する。
【０１１４】
複数の選択吸収膜５７は、第１プリズム５４の第２の辺５４ｂ（図１８参照）から離間して設けられており、第２プリズム５６のうち第２の辺５４ｂに対向する辺５６ｂ（図１８参照）に接して設けられるものである。このような選択吸収膜５７は、太陽光波長領域（０．３〜２．５μｍ）では吸収率が大きく、赤外線波長領域（３．０〜２０μｍ）では放射率が小さくされている。これら複数の選択吸収膜５７は、辺５６ｂに対して設けられていれば、内部空間ＩＳに配置されていてもよいし、内部空間ＩＳの外側となる隔離壁５５上に貼り付けられていてもよい。
【０１１５】
このような構成であるため、空調構造体ＡＣＳは、第２板材５２を介して入射した太陽光Ｒａｙを第１プリズム５４の第２の辺５４ｂから出射して選択吸収膜５７に照射することとなる。また、選択吸収膜５７は第１プリズム５４から離間しており第２プリズム５６に直接又は間接的に接して設けられていることから、第２プリズム５６を加熱することとなり、第２プリズム５６及び第１板材５１を通じて、第１板材５１の室内側を加熱することとなる。
【０１１６】
加熱流路形成板材５８は、空調構造体ＡＣＳの室内側に配置される平板状の板材であって、空調構造体ＡＣＳの第１板材５１に略平行となるように所定の隙間を有して隣接配置されるものである。この加熱流路形成板材５８は、第１板材５１に対して所定の隙間を有して隣接配置されることで、第１板材５１と加熱流路形成板材５８との間の隙間を加熱流路ＨＰとして機能させる。
【０１１７】
図１９は、図１６に示した中央室内側ユニット６０を示す概略構成図である。なお、図１９においては中央室外側ユニット５０の加熱流路形成板材５８についても図示するものとする。
【０１１８】
図１９に示すように、中央室内側ユニット６０は、３枚の平板状となる板材６１〜６３とスペーサ６４とによって構成されている。第１板材６１は、加熱流路形成板材５８にスペーサ６４を介して平行配置される板材である。第２板材６２は、第１板材６１よりも所定の隙間を有して平行配置される板材である。この隙間は第１空気流路ＡＰ１となる。第３板材６３は、第２板材６２よりも所定の隙間を有して平行配置される板材である。この隙間は第２空気流路ＡＰ２となる。
【０１１９】
このような構成により、第１空気流路ＡＰ１及び第２空気流路ＡＰ２は少なくとも上下方向に延びる流路となり、第２空気流路ＡＰ２は、室外側が第１空気流路ＡＰ１に隣接し、室内側が室内に隣接する流路となる。
【０１２０】
なお、第１板材６１とスペーサ６４と加熱流路形成板材５８とで挟まれる空間は真空状態となっている。このため、当該空間は真空断熱層として機能し、加熱流路ＨＰからの熱が第１空気流路ＡＰ１に移行し難くなっている。
【０１２１】
図２０は、図１６に示した上部側ユニット７０を示す概略構成図である。上部側ユニット７０は、中央室外側ユニット５０及び中央室内側ユニット６０の上部に配置されるものである。この上部側ユニット７０は、上部第１流路７１と、上部第２流路７２と、上部第３流路７３と、上部第４流路７４と、バルブ７５と、弁座７６と、滴下部７７と、切替弁７８と、上部側ファンＦ１とを備えている。
【０１２２】
上部第１流路７１及び上部第２流路７２は、一端が室外に接続された流路である。上部第１流路７１の中央付近には上部側ファンＦ１が設けられている。上部側ファンＦ１は、上部第１流路７１の一端側（室外）から外気を取り込み他端側に掃気するものである。上部第２流路７２は、上部第１流路７１の下方側に隣接する流路である。
【０１２３】
上部第１流路７１及び上部第２流路７２の他端側にはバルブ７５と弁座７６とが設けられている。バルブ７５は第１実施形態に係る上部側バルブ３４及び下部側バルブ４４と同じものであり、弁座７６は第１実施形態に係る弁座３５，４５と同じものであるため説明を省略する。
【０１２４】
弁座７６は、第１開放部Ｏ１が上部第１流路７１の他端につながっており、第２開放部Ｏ２が第１空気流路ＡＰ１につながっている。さらに、第３開放部Ｏ３は加熱流路ＨＰにつながっており、第４開放部Ｏ４が上部第２流路７２の他端につながっている。バルブ７５が回転制御されることにより、これらの接続が変更されることとなる。
【０１２５】
上部第３流路７３は、一端が第２空気流路ＡＰ２につながっており、他端が室外に接続された流路である。上部第４流路７４は、一端が上部第３流路７３の途中につながっており、他端が室内に接続された流路である。上部第３流路７３には、滴下部７７と切替弁７８とが設けられている。
【０１２６】
滴下部７７は、上部第３流路７３から液体（例えば水）を滴下することで、第２板材６２と第３板材６３との第２空気流路ＡＰ２側の面に液体を滴下するものである（図１６参照）。なお、第２空気流路ＡＰ２の下端まで達した液体は、不図示のポンプによって再度滴下部７７まで引き上げられる。さらに、滴下部７７の液体は補充可能となっている。
【０１２７】
切替弁７８は、上部第３流路７３と上部第４流路７４との接続部に設けられるものである。この切替弁７８は、上部第３流路７３の一端と他端とを接続し上部第４流路７４を遮断する室外接続状態（実線参照）と、上部第３流路７３の一端と他端とを遮断し上部第４流路７４を開放する室内接続状態（破線参照）とで切替可能となっている。
【０１２８】
ここで、バルブ７５は、回転制御されて第５〜第７状態を取り得る。バルブ７５の第５状態とは、図２０に示す状態である。すなわち、第５状態とは、第１流路７５ａが加熱流路ＨＰと上部第２流路７２（室外側）とを接続し、第２流路７５ｂが上部第１流路７１（室外側）と第１空気流路ＡＰ１とを接続した状態である。
【０１２９】
バルブ７５の第６状態とは、図２０に示す状態から１８０°回転させた状態である。すなわち、第６状態とは、第１流路７５ａが上部第１流路７１（室外側）と第１空気流路ＡＰ１とを接続し、第２流路７５ｂが加熱流路ＨＰと上部第２流路７２（室外側）とを接続した状態である。
【０１３０】
バルブ７５の第７状態とは、第５状態から右回り又は左回りに９０°回転させた状態であって、第１流路７５ａ又は第２流路７５ｂが加熱流路ＨＰと第１空気流路ＡＰ１とを接続した状態である。なお、第７状態は後述の図２２に示されている。
【０１３１】
図２１は、図１６に示した下部側ユニット８０を示す概略構成図である。図２１に示すように、下部側ユニット８０は、下部第１流路８１と、下部第２流路８２と、下部第３流路８３と、全熱交換エレメント８４と、流路開閉弁８５と、下部側ファンＦ２とを備えている。
【０１３２】
下部第１流路８１及び下部第２流路８２は、室外と全熱交換エレメント８４とを接続する流路である。下部第１流路８１には下部側ファンＦ２が設けられている。下部側ファンＦ２は、下部第１流路８１の一端側（室外）から外気を取り込み他端側の全熱交換エレメント８４に掃気するものである。下部第２流路８２は、下部第１流路８１の上方側に隣接する流路である。
【０１３３】
下部第３流路８３は、室内と全熱交換エレメント８４とを接続する流路である。下部第３流路８３の室内端には、流路開閉弁８５が設けられている。流路開閉弁８５は、下部第３流路８３の室内端を開放する開放状態と閉塞する閉塞状態とで切替可能な弁である。
【０１３４】
全熱交換エレメント８４は、下部第３流路８３からの室内空気と、下部側ファンＦ２の駆動によって下部第１流路８１に取り込まれた外気とを全熱交換するものである。室内空気は全熱交換された後に下部第２流路８２を通じて室外に排出される。外気は全熱交換された後に加熱流路ＨＰに導入される。
【０１３５】
なお、上部側ユニット７０の上部第１〜第３流路７１〜７３の室外側、及び上部第４流路７４の室内側にはルーバーが設けられており、空気流通しないときには遮断可能となっている。さらに、下部側ユニット８０の下部第１及び第２流路８１，８２の室内側にもルーバーが設けられており、空気流通しないときには遮断可能となっている。
【０１３６】
図１６に示す制御装置ＣＤは、空調装置２の全体を制御するものであって、バルブ７５の回転制御、上部側ファンＦ１及び下部側ファンＦ２の駆動制御、ルーバーの開閉制御、並びに、弁７８，８５の切替制御等を実行するものである。制御装置ＣＤは、ユーザからの運転モードの指定や、自動制御によって、これらを制御して２つの運転モード（冷房運転モード、暖房運転モード）を実行可能となっている。
【０１３７】
次に、図１６及び図２２を参照して、本実施形態に係る空調装置２の各運転モードにおける動作を説明する。
【０１３８】
図１６に示すように、冷房運転モードにおいて制御装置ＣＤは、全てのルーバーを開くと共に、上部側及び下部側ファンＦ１，Ｆ２を駆動状態とする。また、制御装置ＣＤは、切替弁７８を室外接続状態とし、流路開閉弁８５を閉塞状態とする。さらに、制御装置ＣＤは、滴下部７７を駆動させて第２板材６２と第３板材６３の内面（第２空気流路ＡＰ２側）に液体を滴下する。
【０１３９】
この状態で制御装置ＣＤは、バルブ７５を所定時間（例えば１８０秒）間隔で回転させて、所定時間毎にバルブ７５を第５状態と第６状態とで切り替える。
【０１４０】
これにより、外気は、下部側ファンＦ２によって下部第１流路８１に導入され、加熱流路ＨＰにおいて加熱される。加熱された空気は、バルブ７５の第１及び第２流路７５ａ，７５ｂのうち一方に供給され、デシカントエレメントＤを再生した後に上部第２流路７２を介して室外に排出される。
【０１４１】
さらに、外気は、上部側ファンＦ１によって上部第１流路７１に導入された後に、バルブ７５の第１及び第２流路７５ａ，７５ｂのうち他方に供給される。供給された空気は、デシカントエレメントＤによって除湿されて第１空気流路ＡＰ１に至る。除湿された空気は第１空気流路ＡＰ１を通過して第２空気流路ＡＰ２に至る。
【０１４２】
第２空気流路ＡＰ２においては液体が滴下されていることから、除湿された空気によって液体を気化させて気化熱により室内側を冷却する。加えて、第１空気流路ＡＰ１側の液体も気化させて冷却することから、第１空気流路ＡＰ１から第２空気流路ＡＰ２に流入する空気も冷却されて、冷却空気が第２空気流路ＡＰ２を流れることによっても室内を冷却する。第２空気流路ＡＰ２を通過した空気は、上部第３流路７３を通じて室外に排出される。
【０１４３】
これにより、冷房運転モードでは、第３板材６３を介した輻射冷房を行うことができる。
【０１４４】
図２２は、暖房運転モードにおける空調装置２の動作状態図である。図２２に示すように、暖房運転モードにおいて制御装置ＣＤは、全てのルーバーを開くと共に、上部側及び下部側ファンＦ１，Ｆ２を駆動状態とする。また、制御装置ＣＤは、切替弁７８を室内接続状態とし、流路開閉弁８５を開放状態とする。さらに、制御装置ＣＤは、滴下部７７を駆動させて第２板材６２と第３板材６３の内面（第２空気流路ＡＰ２側）に液体を滴下する。この状態で制御装置ＣＤは、バルブ７５を第７状態で維持する。
【０１４５】
これにより、外気は、下部側ファンＦ２によって下部第１流路８１に導入され、全熱交換エレメント８４によって全熱交換された後に（加熱加湿後に）加熱流路ＨＰに至る。加熱流路ＨＰに導入された空気は加熱された後にバルブ７５に至り、バルブ７５の第１又は第２流路７５ａ，７５ｂを通過した後に第１空気流路ＡＰ１に供給される。
【０１４６】
第１空気流路ＡＰ１に供給された空気は第１空気流路ＡＰ１を通過して第２空気流路ＡＰ２に至る。第２空気流路ＡＰ２においては液体が滴下されていることから、空気は、加湿され、上部第３流路７３から上部第４流路７４を通じて室内に供給される。
【０１４７】
これにより、暖房運転モードでは、室内に加湿及び暖房された空気を供給することができる。
【０１４８】
一方、室内空気は下部第３流路８３を通じて全熱交換エレメント８４に至り、全熱交換エレメント８４において全熱交換された後に下部第２流路８２を介して室外に排出される。
【０１４９】
このようにして、第２実施形態に係る空調装置２によれば、第１実施形態と同様に、より小型化を図ることができる。
【０１５０】
また、切替弁７８を制御して第２空気流路ＡＰ２と室外側とを接続し、バルブ７５を所定時間間隔で回転させて、バルブ７５を所定時間毎に第５状態と第６状態とで切り替える冷房運転モードと、切替弁７８を制御して第２空気流路と室内側とを接続し、バルブを第７状態で維持する暖房運転モードとで制御する。このため、冷房運転モードでは、第１及び第２流路７５ａ，７５ｂのうち一方のデシカントエレメントＤが空調構造体ＡＣＳにより加熱された空気によって再生され、他方のデシカントエレメントＤが外気を除湿させる。除湿された空気は第１空気流路ＡＰ１を通過して第２空気流路ＡＰ２に至る。第２空気流路ＡＰ２においては液体が滴下されていることから、除湿された空気によって液体を気化させて気化熱により室内側を冷却する。加えて、第１空気流路ＡＰ１側の液体も気化させて冷却することから、第１空気流路ＡＰ１から第２空気流路ＡＰ２に流入する空気も冷却されて、冷却空気が第２空気流路ＡＰ２を流れることによっても室内を冷却する。よって、室内を冷房することができる。また、暖房運転モードでは、空調構造体ＡＣＳにより加熱された空気が第１及び第２流路７５ａ，７５ｂのうち一方を流れ、第１空気流路ＡＰ１及び第２空気流路ＡＰ２を通じて室内に放出され、室内を暖房することができる。よって、冷暖房可能な空調装置２を提供することができる。
【０１５１】
さらに、第２実施形態に係るバルブ７５によれば、第１実施形態と同様に、空調装置２の小型化に寄与することができるバルブ７５を提供することができる。なお、第２実施形態においては、冷房運転モード及び暖房運転モードの双方のモードで、バルブ７５の第３流路を利用していないが、直線状の第３流路を利用して多彩な制御に役立てるようにしてもよい。
【０１５２】
以上、実施形態に基づき本発明を説明したが、本発明は上記実施形態に限られるものではなく、本発明の趣旨を逸脱しない範囲で、変更を加えてもよいし、可能な範囲で適宜実施形態同士を組み合わせてもよい。さらに、可能な範囲で公知又は周知の技術を組み合わせてもよい。
【０１５３】
例えば、第１実施形態において空調構造体ＡＣＳは吸収冷凍サイクルを利用して第１板材２１側を冷却し、第２板材２２側を加熱するものであるが、これに限らず、第２板材２２側を加熱するだけのものであってもよい（冷却効果が無いものであってもよい）。特に、冷却効果が無いものである場合には、冬場の暖房時において好適に動作させることができる。
【０１５４】
図２３は、空調構造体ＡＣＳの変形例を示す概略構成図である。第１実施形態において空調構造体ＡＣＳは図２３に示すものであってもよい。図２３に示す空調構造体ＡＣＳは、図１６に示した空調構造体ＡＣＳを１８０°上下反転させた構造となっており、第１及び第２板材（室内側板材、室外側板材）１０１，１０２、周端部材１０３、複数の第１プリズム１０４、隔離壁１０５、複数の第２プリズム１０６、及び、複数の選択吸収膜１０７を備えている。
【０１５５】
この空調構造体ＡＣＳでは、第２プリズム１０６によって太陽光を選択吸収膜１０７に効率的に集め、第２プリズム１０６を加熱する。加熱された第２プリズム１０６は、第２板材（室外側板材）１０２を加熱することとなる。なお、この変形例において第１プリズム１０４は、像回復専用のプリズムとなる。
【０１５６】
図２４は、空調構造体ＡＣＳの第２変形例を示す概略構成図である。第１実施形態において空調構造体ＡＣＳは図２４に示すものであってもよい。
【０１５７】
図２４に示す例に係る空調構造体ＡＣＳは、略的に２枚の板材２０１，２０２と、周端部材２０３と、スロープ２１０と、作動液（液体）ＨＦとを備えている。
【０１５８】
２枚の板材２０１，２０２は、互いに略平行配置される透明性の板材である。これらの板材２０１，２０２は例えばガラス材によって構成されている。
【０１５９】
周端部材２０３は、２枚の板材２０１，２０２の周端部において２枚の板材２０１，２０２の間に介在するものである。２枚の板材２０１，２０２の周端部に周端部材２０３が設けられることによって、２枚の板材２０１，２０２と周端部材２０３とによって閉じられた内部空間が形成される。本実施形態において内部空間は断熱性の観点から真空状態とされるが、これに限らず、所定の気体で満たされていてもよい。
【０１６０】
スロープ２１０は、２枚の板材２０１，２０２の間に介在する透明性の部材であり、図２４に示す断面視状態において２回９０°に折られて断面略Ｎ字状の屈曲体となっている。このスロープ２１０は、一方の端部２１０ａが第１板材（室内側板材）２０１の内壁に接しており、他方の端部２１０ｂが他方の板材（室外側板材）２０２の内壁に接して設けられている。このようなスロープ２１０は、一端側において、第１板材２０１と共に作動液ＨＦを貯留可能な貯留部Ｒｅｓを構成している。
【０１６１】
図２５は、図２４に示したスロープ２１０の詳細を示す斜視図である。図２５に示すように、スロープ２１０は、下板２１１と、この下板２１１と平行配置される上板２１２と、これらを接続する接続板２１３とから構成されている。
【０１６２】
下板２１１は、上記した端部２１０ａを有すると共に、端部２１０ａの反対側が櫛歯状に突出する櫛歯部２１１ａとなっている。櫛歯部２１１ａの各端面ＥＦは第２板材２０２の内壁に接する部位となる。上板２１２は、接続板２１３を挟んで下板２１１と点対称構造となっている。すなわち、上板２１２は、端部２１０ｂの反対側が櫛歯状に突出する櫛歯部２１２ａとなっており、櫛歯部２１２ａの各端面ＥＦが第１板材２０１の内壁に接する部位となる。このように、スロープ２１０は、下板２１１の両端部（端部２１０ａ及び端面ＥＦ）、並びに、上板２１２の両端部（端部２１０ｂ及び端面ＥＦ）が２枚の板材２０１，２０２にそれぞれ接する。これにより、スロープ２１０は、真空状態とされる２枚の板材２０１，２０２をその内側から支えることとなる。
【０１６３】
再度図２４を参照する。本実施形態において作動液ＨＦは水等の透明性の液体である。なお、作動液ＨＦは水に限られるものではない。このような作動液ＨＦは、貯留部Ｒｅｓに貯留されている。貯留部Ｒｅｓの作動液ＨＦは、第１板材２０１からの熱によって蒸発可能となっている。蒸発した作動液ＨＦは、蒸気となって第２板材２０２に至る。蒸気となった作動液ＨＦは、第２板材２０２において凝縮液化する。液化した作動液ＨＦは、第２板材２０２の内面を流下していき、スロープ２１０の上板２１２（図２５参照）上に溜まる。一定量以上の作動液ＨＦが上板２１２上に溜まると、作動液ＨＦは、上板２１２の櫛歯部２１２ａの隙間から貯留部Ｒｅｓに落下する。
【０１６４】
具体的に説明すると、室温が２０℃であり、外気温が２５℃である場合、貯留部Ｒｅｓに溜まっている水（作動液ＨＦ）の蒸気圧は２．４ｋＰａ程度であり、内部空間が２．５／１００気圧程度の真空状態となった断熱ガラスとして機能している。この状態から室温が３０℃まで上昇すると、水の蒸発が進み４．３ｋＰａまで内部空間の圧力が上がろうとするが、蒸発した水（水蒸気）は室外側の第２板材２０２に触れると冷却されて液化し、第２板材２０２の内面を流下する。流下した水は、スロープ２１０の上板２１２を経て貯留部Ｒｅｓに戻る。
【０１６５】
このように、作動液ＨＦは、貯留部Ｒｅｓから第２板材２０２を経て再度貯留部Ｒｅｓに戻るようになっており、スロープ２１０は、このような作動液ＨＦの循環を可能とする液体循環構造となっている。さらに、第１板材２０１は、作動液ＨＦが蒸発することから蒸発器として機能し、第２板材２０２は、作動液ＨＦが凝縮することから凝縮器として機能する。よって、第１板材２０１側は蒸発熱が奪われて冷却化され、第２板材２０２側からは凝縮熱が破棄されることとなる。結果として第１板材２０１側の熱が第２板材２０２側へ貫流することとなり、例えば夏場では室内側が第１板材２０１となることで、湿気を取り込むことなく室内を快適化することができる。なお、夏場において室温が低いような場合には、作動液ＨＦは蒸発することなく、断熱ガラスとして機能させることができる。
【０１６６】
以上のように、空調構造体ＡＣＳは、常時第１板材２０１側を冷却し第２板材２０２側を加熱するものでなくともよく、所定の条件が成立した場合に第１板材２０１側を冷却し第２板材２０２側を加熱するものであってもよい。
【０１６７】
さらに、上記実施形態の第１運転モード（特に図２３に示す空調構造体ＡＣＳを用いる場合）においては、上部側バルブ３４のみを有して回転制御させるようにしてもよい。これにより、デシカントエレメントＤの再生を継続的に行って、継続的に室内空気を乾燥させることができる。
【符号の説明】
【０１６８】
１，２    ：空調装置
１３      ：反射部材（室外流路形成板材）
２１      ：第１板材（室内側板材）
２２      ：第２板材（室外側板材）
２７      ：室内流路形成板材
３４      ：上部側バルブ（バルブ）
３４ａ    ：第１流路
３４ｂ    ：第２流路
３４ｃ    ：第３流路
３６      ：上部側室外弁
３７      ：上部側室内弁
４４      ：下部側バルブ（バルブ）
４４ａ    ：第１流路
４４ｂ    ：第２流路
４４ｃ    ：第３流路
４６      ：下部側室外弁
５１      ：第１板材（室内側板材）
５２      ：第２板材（室外側板材）
５８      ：加熱流路形成板材
７５      ：バルブ
７５ａ    ：第１流路
７５ｂ    ：第２流路
７７      ：滴下部（滴下手段）
７８      ：切替弁
１０１    ：第１板材（室内側板材）
１０２    ：第２板材（室外側板材）
２０１    ：第１板材（室内側板材）
２０２    ：第２板材（室外側板材）
ＡＣＳ    ：空調構造体（空調板材）
ＡＰ１    ：第１空気流路
ＡＰ２    ：第２空気流路
ＣＤ      ：制御装置（制御手段）
Ｄ        ：デシカントエレメント
Ｆ１      ：上部側ファン
Ｆ２      ：下部側ファン
ＨＰ      ：加熱流路
ＩＰ      ：室内流路
ＬＣＯ    ：下部室外側空間
ＯＰ      ：室外流路
Ｐ１〜Ｐ４：ポート
ＰＣＭ    ：潜熱蓄熱材
Ｒａｙ    ：太陽光
ＵＣＩ    ：上部室内側空間
ＵＣＯ    ：上部室外側空間
ＵＦＣ    ：床下空間
【図１】
0006987635.tif 000002
【図２】
0006987635.tif 000003
【図３】
0006987635.tif 000004
【図４】
0006987635.tif 000005
【図５】
0006987635.tif 000006
【図６】
0006987635.tif 000007
【図７】
0006987635.tif 000008
【図８】
0006987635.tif 000009
【図９】
0006987635.tif 000010
【図１０】
0006987635.tif 000011
【図１１】
0006987635.tif 000012
【図１２】
0006987635.tif 000013
【図１３】
0006987635.tif 000014
【図１４】
0006987635.tif 000015
【図１５】
0006987635.tif 000016
【図１６】
0006987635.tif 000017
【図１７】
0006987635.tif 000018
【図１８】
0006987635.tif 000019
【図１９】
0006987635.tif 000020
【図２０】
0006987635.tif 000021
【図２１】
0006987635.tif 000022
【図２２】
0006987635.tif 000023
【図２３】
0006987635.tif 000024
【図２４】
0006987635.tif 000025
【図２５】
0006987635.tif 000026